【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
電動工具であって、
ループハンドルと、
開いた状態から環状の閉じた状態になることで前記ループハンドルに取付けられる結合具を有し、
前記結合具は、回転可能な第１と第２の取付体を有し、
前記第１の取付体と前記第２の取付体は、前記結合具が環状の前記閉じ状態になった際に、相互に対面する引掛部をそれぞれ有し、
前記第１の取付体と前記第２の取付体の前記引掛部は、それぞれ通し孔を有し、前記通し孔に引掛具が通される構成になっている電動工具。
【請求項２】
請求項１に記載の電動工具であって、
前記結合具は、挟持体を備え、前記挟持体の第１端部に前記第１の取付体が回転可能に連結され、前記挟持体の第２端部に前記第２の取付体が回転可能に連結され、
前記第１と前記第２の取付体は、前記結合具を環状の前記閉じた状態にすることで前記ループハンドルに対面しかつ取り付けられるベースをそれぞれ有する電動工具。
【請求項３】
請求項２に記載の電動工具であって、
前記ベースは、ねじによって前記ループハンドルに固定される電動工具。
【請求項４】
請求項１〜３のいずれか１つに記載の電動工具であって、
前記第１と前記第２の取付体には、前記結合具を環状の前記閉じた状態において、前記ループハンドルに形成の被係合部に係合する係合部が形成されている電動工具。
【請求項５】
請求項１〜４のいずれか１つに記載の電動工具であって、
前記第１と前記第２の取付体は、それぞれヒンジによって回転可能な構成になっており、
前記ヒンジには、消音部材が嵌挿されている電動工具。
【請求項６】
電動工具本体に引掛具を引っ掛けるための電動工具の結合具であって、
挟持体と、前記挟持体に回転可能に連結された取付体を有し、
前記取付体は、開き位置と閉じ位置に回転し、前記閉じ位置において前記挟持体と協働して環状になり、前記電動工具本体に取付けられ、
前記取付体は、前記取付体を前記開き位置から前記閉じ位置にすることで前記電動工具本体の凹溝に係合する起こし片と、前記取付体を前記開き位置から前記閉じ位置にすることで前記電動工具本体に対面しかつねじによって前記電動工具本体に取付けられるベースと、前記引掛具が引掛けられる引掛部を有する電動工具の結合具。
【手続補正２】
【補正対象書類名】明細書
【補正対象項目名】発明の名称
【補正方法】変更
【補正の内容】
【発明の名称】電動工具および電動工具の結合具
【手続補正３】
【補正対象書類名】明細書
【補正対象項目名】０００１
【補正方法】変更
【補正の内容】
【０００１】
この発明は、電動工具および電動工具の結合具に関する。
【手続補正４】
【補正対象書類名】明細書
【補正対象項目名】０００５
【補正方法】変更
【補正の内容】
【０００５】
本発明は、このような課題を解決しようとするもので、その目的は、引掛具を備えている備え部位が破損してしまっても、この引掛具の備えを維持できる電動工具および電動工具の結合具を提供することである。
【手続補正５】
【補正対象書類名】明細書
【補正対象項目名】０００６
【補正方法】変更
【補正の内容】
【０００６】
本開示の１つの特徴によると、電動工具は、ループハンドルと、開いた状態から環状の閉じた状態になることでループハンドルに取付けられる結合具を有する。結合具は、回転可能な第１と第２の取付体を有する。第１の取付体と第２の取付体は、結合具が環状の閉じ状態になった際に、相互に対面する引掛部をそれぞれ有する。第１の取付体と第２の取付体の引掛部は、それぞれ通し孔を有し、通し孔に引掛具が通される構成になっている。
【手続補正６】
【補正対象書類名】明細書
【補正対象項目名】０００７
【補正方法】変更
【補正の内容】
【０００７】
したがって落下による床フロアに対する衝撃によって電動工具における引掛具の備え部位が破損してしまっても、結合具の挟持体は電動工具本体を挟み込んだ状態を維持できる。したがって、結合具に対する引掛具の引っ掛けも維持されるため、結果として、この引掛具の備えも維持できる。
【手続補正７】
【補正対象書類名】明細書
【補正対象項目名】０００８
【補正方法】変更
【補正の内容】
【０００８】
本開示の他の特徴によると、結合具は、挟持体を備えている。挟持体の第１端部に第１の取付体が回転可能に連結されている。挟持体の第２端部に前記第２の取付体が回転可能に連結されている。第１と第２の取付体は、結合具を環状の閉じた状態にすることでループハンドルに対面しかつ取り付けられるベースをそれぞれ有する。
【手続補正８】
【補正対象書類名】明細書
【補正対象項目名】０００９
【補正方法】変更
【補正の内容】
【０００９】
本開示の他の特徴によると、ベースは、ねじによってループハンドルに固定される。
【手続補正９】
【補正対象書類名】明細書
【補正対象項目名】００１０
【補正方法】変更
【補正の内容】
【００１０】
本開示の他の特徴によると、第１と第２の取付体には、結合具を環状の閉じた状態において、ループハンドルに形成の被係合部に係合する係合部が形成されている。
【手続補正１０】
【補正対象書類名】明細書
【補正対象項目名】００１１
【補正方法】変更
【補正の内容】
【００１１】
本開示の他の特徴によると、第１と第２の取付体は、ヒンジによって回転可能な構成になっている。ヒンジには、消音部材が嵌挿されている。
【手続補正１１】
【補正対象書類名】明細書
【補正対象項目名】００１２
【補正方法】変更
【補正の内容】
【００１２】
本開示の他の特徴によると、電動工具本体に引掛具を引っ掛けるための電動工具の結合具は、挟持体と、挟持体に回転可能に連結された取付体を有する。取付体は、開き位置と閉じ位置に回転し、閉じ位置において挟持体と協働して環状になり、電動工具本体に取付けられる。取付体は、取付体を開き位置から閉じ位置にすることで電動工具本体の凹溝に係合する起こし片と、取付体を開き位置から閉じ位置にすることで電動工具本体に対面しかつねじによって電動工具本体に取付けられるベースと、引掛具が引掛けられる引掛部を有する。
【手続補正１２】
【補正対象書類名】明細書
【補正対象項目名】００１３
【補正方法】削除
【補正の内容】
【手続補正１３】
【補正対象書類名】明細書
【補正対象項目名】００１４
【補正方法】削除
【補正の内容】
【手続補正１４】
【補正対象書類名】明細書
【補正対象項目名】００１５
【補正方法】削除
【補正の内容】
【手続補正１５】
【補正対象書類名】明細書
【補正対象項目名】００１６
【補正方法】削除
【補正の内容】
【手続補正１６】
【補正対象書類名】明細書
【補正対象項目名】００１７
【補正方法】削除
【補正の内容】
【手続補正１７】
【補正対象書類名】明細書
【補正対象項目名】００１８
【補正方法】削除
【補正の内容】
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】